(57)【要約】【課題】容器内の適切な外気循環によって、化粧液が付着するブラシ部付きブラシ軸の容器本体への出し入れを円滑にでき、適量の化粧液をブラシ部に付着させて取り出すことができる化粧品容器を提供する。【解決手段】容器本体と、略円筒状のパッキング体の底部に設けられた多数の隔壁、前記隔壁同士の間に設けられた通気孔、及び前記パッキング体の内側に所定の直径で設けられて前記隔壁の下端まで延長される通孔を有するプラグ型パッキングと、前記容器本体の上端に螺合されるもので、底部に設けられた中空の閉塞部、前記閉塞部の下端から延長され、前記プラグ型パッキングの通孔を介して前記容器本体内に出入するブラシ軸、及び前記ブラシ軸の先端にブラシ部を備えるキャップとを有する。【選択図】図３
2005137874.tif 000002
【特許請求の範囲】
【請求項１】
容器本体と、
前記容器本体の上端側に押し込まれるもので、略円筒状のパッキング体の底部に設けられた多数の隔壁、前記隔壁同士の間に設けられた通気孔、及び前記パッキング体の内側に所定の直径で設けられて前記隔壁の下端まで延長される通孔を有するプラグ型パッキングと、
前記容器本体の上端に螺合されるもので、底部に設けられた中空の閉塞部、前記閉塞部の下端から延長され、前記プラグ型パッキングの通孔を介して前記容器本体内に出し入れするブラシ軸、及び前記ブラシ軸の先端にブラシ部を備えるキャップとを有することを特徴とする化粧品容器。
【請求項２】
容器本体と、
前記容器本体の上端側に押し込まれるもので、下端側に所定の直径で設けられた通孔、及び前記通孔を中心として多数穿設された通気孔を有するプラグ型パッキングと、
前記容器本体の上端に螺合されるもので、底部に設けられた中空の閉塞部、前記閉塞部の下端から延長され、前記プラグ型パッキングの通孔を介して前記容器本体内に出し入れするブラシ軸、及び前記ブラシ軸の先端にブラシ部を備えるキャップとを有することを特徴とする化粧品容器。
【請求項３】
容器本体と、
前記容器本体の上端側に押し込まれるもので、外周面にパッキング体の長手方向に沿って設けられた少なくとも一つ以上の通気溝、及び下端側に所定の直径で設けられた通孔を有するプラグ型パッキングと、
前記容器本体の上端に螺合されるもので、底部に設けられた中空の閉塞部、前記閉塞部の下端から延長され、前記プラグ型パッキングの通孔を介して前記容器本体内に出し入れするブラシ軸、及び前記ブラシ軸の先端にブラシ部を備えるキャップとを有することを特徴とする化粧品容器。
【発明の詳細な説明】
【技術分野】
【０００１】
本発明は、マスカラ、アイライナー、リップグロス又はマニキュアなどの化粧液を適量効率よく取り出して使用できるようにした化粧品容器に関し、特に、容器内の適切な外気循環によって、化粧液が付着しているブラシ部付きブラシ軸の容器本体への出し入れを円滑にすることができるうえ、適量の化粧液をブラシ部に付着させて取り出すことができる化粧品容器に関する。
【背景技術】
【０００２】
一般に、女性の美しさを一層見栄え良くさせるために使用する化粧品には、マスカラ、アイライナー、リップグロスなどがあり、特に最近は、手指の爪だけでなく、身体の露出されない部位、例えば足指の爪にまでマニキュアを塗って様々な美的欲求を満足させようとする傾向が著しい。
【０００３】
このような化粧品の容器は、通常、容器内の化粧液に浸漬されるブラシ部を先端部に備えたブラシ軸がキャップの内部の底面に取り付けられている構造であって、このキャップの開封操作によってブラシ部付きブラシ軸を引き抜き、ブラシ部に付着している容器内の化粧液、すなわち内容物を使用するようになっている。
【０００４】
従来の化粧品容器、例えばマスカラ容器は、使用者がブラシ軸とブラシ部とが一体的に設けられているキャップを容器から取り外し、キャップのブラシ部に付着している内容物を使用する構造のものや、ブラシ部だけでなく、ブラシ軸の無駄な部分にまで内容物が付着したまま取り出されることを防止するために、所定の内径でなる通孔を有する円筒状のプラグ型パッキングであってゴム又はシリコン材質のような弾性質のプラグ型パッキングを、容器上端の開口部に挿着することにより、容器内外に出入りするブラシ軸の外周面をプラグ型パッキングの前記通孔の内面に接触させて内容物を扱き落とすようになっている。
【０００５】
ところが、このマスカラ容器は、プラグ型パッキングによって無駄な内容物の取り出し及びこれによる化粧液の損失などを防止することができるが、プラグ型パッキングは所定の内径でなる通孔により開放されているため、容器内に収容されている内容物と外気との接触を回避することができず、これにより外気に露出された内容物は凝固し易いので、内容物である化粧液の総量を効果的に使用することができない。また、容器内の化粧液の上層部が凝固すると、ブラシ軸及びブラシ部が出入りするプラグ型パッキングの通孔の内面に、出入時の残余化粧液が凝固して一部又は全部が閉塞されて、ブラシ軸及びブラシ部の出入りが阻害されるなどの問題点があった。
【０００６】
その上、ブラシ軸の入出口であるプラグ型パッキングの通孔の内面は、ブラシ軸の外周面と略密接可能な内径であるため、ブラシ軸及びブラシ部の容器内への押込過程で化粧品容器の内部には空圧が発生し、この空圧によって容器内の化粧液、すなわち内容物が膨張してブラシ部に必要量が付着しないという欠点もあった。
【０００７】
したがって、使用者は、前記容器内の化粧液がよく付着するようにするため、前記キャップを容器と堅く結合せず、緩んだ状態となるように閉じておくことにより、ある程度の空気が前記容器内に流入できるようにして、化粧液がブラシ部によく付着するようにすることが可能である。
【０００８】
しかし、このようにキャップと容器とが堅く結合されていない場合、流入した空気によって前記容器内の化粧液が変質したり、又は、そのまま凝固してしまい、化粧液を使用し切らず廃棄する事例の発生頻度が高かった。
【０００９】
この他にも、固まった化粧液がブラシ部に付着するようにするため、楊枝などのように先の尖った道具を用いて化粧液を攪拌したり、又は、道具の先端をライターなどで熱したもので攪拌することにより、固まった化粧液をブラシ部によく付着させることも可能であるが、このような方法は、容器本体内に入っている化粧液の変質又は固化を促してしまうので、マスカラ、アイライナー、リップグロス又はマニキュアなどの化粧品を使い切らないで新品に交替して使用することにより、化粧品購入費用が多くかかるという問題点がある。
【００１０】
一方、かかる問題点を解決するために、特許文献１のマスカラ容器構造が提案されている。この発明は、図１及び図２に示すように、開口部１２を有する容器１０と、開口部１２の内周に押し込まれて固定されるように中央に垂直に貫設された通路Ｄを有するプラグ型パッキング２０と、容器１０の上側開口部に被設されるキャップ３０と、キャップ３０の下部に一体に取り付けられ、プラグ型パッキング２０の通路Ｄに沿って容器１０の内部に出入りするブラシ軸４０及びブラシ部５０とを備えたマスカラの容器構造において、プラグ型パッキング２０は、その通路Ｄの所定の位置に、通路Ｄを開閉するように切開された通孔２０ｅを構成したことを特徴とし、またプラグ型パッキング２０は、その下部外周にはプラグ型パッキング２０の上部通路Ｄより小さく、上下部が相反する角度の傾斜面２０ｃを有する蛇腹状部２０ｄが一体に設けられたことを特徴とし、通孔２０ｅは、プラグ型パッキング２０の下端に設けられるもので、下方に膨らんでいるドーム形部２０ｆの中央に十字状に切開されたものであることを特徴とする。
【００１１】
このような従来のマスカラ容器構造は、ブラシ軸４０のブラシ部５０に付着する化粧液が、プラグ型パッキング２０の十字状からなる通孔２０ｅを通ることにより均一になるので、化粧液がブラシ軸４０にこびり付くなどの問題点を解決しようとするものである。
【００１２】
【特許文献１】韓国実用新案登録第２４２００１号明細書
【発明の開示】
【発明が解決しようとする課題】
【００１３】
しかしながら、特許文献１に記載のマスカラ容器構造の場合、十字状の通孔２０ｅによって化粧液が均一に付着するという効果は期待することができるが、空気の循環が可能な空間として、ブラシ部５０を出し入れさせるための通孔２０ｅ以外には通気孔が設けられていないので、化粧液と共に容器１０内の空気が流動することにより、化粧液がブラシ部５０によく付着しないという問題点がある。
【００１４】
しかも、ブラシ部５０を容器１０内に押し込んでから引き抜いたとき、容器１０内部が瞬間的に減圧することにより、ブラシ部５０及びブラシ軸４０に多量の化粧液がそのまま付着するので、十字状の通孔２０ｅのみでは、付着する化粧液を均一にすることができず、長期間使用する場合、扱き落された化粧液がそのまま通孔２０ｅにこびり付くことにより、通孔２０ｅの機能が著しく低下するという問題点があった。
【００１５】
本発明は、従来のマスカラ、アイライナー、リップグロス又はマニキュアなどのようにブラシ軸の先端に備えられたブラシ部を用いて化粧する化粧品が収容される化粧品容器の問題点を解決するために創案されたもので、その目的は、容器の上端内側に挿着されるプラグ型パッキングに、空気の循環が可能な通気孔をさらに形成し、外部の空気が瞬間的に容器本体内に流入できるようにすることにより、ブラシ部に化粧液が容易に付着可能にした化粧品容器を提供することにある。
【課題を解決するための手段】
【００１６】
本発明による化粧品容器は、容器本体と、前記容器本体の上端側に押し込まれるもので、略円筒状のパッキング体の底部に設けられた多数の隔壁、前記隔壁同士の間に設けられた通気孔、及び前記パッキング体の内側に所定の直径で設けられて前記隔壁の下端まで延長される通孔を有するプラグ型パッキングと、前記容器本体の上端に螺合されるもので、底部に設けられた中空の閉塞部、前記閉塞部の下端から延長され、前記プラグ型パッキングの通孔を介して前記容器本体内に出し入れするブラシ軸、及び前記ブラシ軸の先端にブラシ部を備えるキャップとを有することを特徴とする。また、本発明による化粧品容器は、容器本体と、前記容器本体の上端側に押し込まれるもので、下端側に所定の直径で設けられた通孔、及び前記通孔を中心として多数穿設された通気孔を有するプラグ型パッキングと、前記容器本体の上端に螺合されるもので、底部に設けられた中空の閉塞部、前記閉塞部の下端から延長され、前記プラグ型パッキングの通孔を介して前記容器本体内に出し入れするブラシ軸、及び前記ブラシ軸の先端にブラシ部を備えるキャップとを有することを特徴とする。また、本発明による化粧品容器は、容器本体と、前記容器本体の上端側に押し込まれるもので、外周面にパッキング体の長手方向に沿って設けられた少なくとも一つ以上の通気溝、及び下端側に所定の直径で設けられた通孔を有するプラグ型パッキングと、前記容器本体の上端に螺合されるもので、底部に設けられた中空の閉塞部、前記閉塞部の下端から延長され、前記プラグ型パッキングの通孔を介して前記容器本体内に出し入れするブラシ軸、及び前記ブラシ軸の先端にブラシ部を備えるキャップとを有することを特徴とする。
【発明の効果】
【００１７】
このような特徴を有する本発明の化粧品容器は、プラグ型パッキングに空気の出入りが可能な通気溝又は通気孔が設けられているので、使用者がマスカラ、アイライナー、リップグロス、マニキュアなどを内容物として本発明の化粧品容器を使用するとき、外気が前記通気溝又は通気孔を介して容器本体内に流入することにより、空気の循環が円滑に行われ、ブラシ部に化粧液が均一に付着させることができる。
【００１８】
また、保管時には、キャップを容器本体に結合した状態において、前記通孔及び通気孔がキャップの底部に構成された閉塞部によって閉塞され空気の循環ができないようにして、化粧液と外気とが遮蔽されることにより、容器本体の化粧液が容易に変質することを前もって防止することができる。
【発明を実施するための最良の形態】
【００１９】
以下、図面を参照して、本発明の化粧品容器について説明する。なお、本発明の化粧品容器の説明において、従来の技術構成と同一のものについては同じ名称をそのまま適用して説明する。
【実施例１】
【００２０】
図３は、本発明の第１の実施例に係る化粧品容器の構成を示す分解斜視図、図４は、本発明の第１実施例に係る化粧品容器のプラグ型パッキングの構成を一部切開して示す斜視図、図５は、本発明の第１実施例に係る化粧品容器のプラグ型パッキングの底面図、図６は、本発明の第１実施例に係る化粧品容器の断面図である。
【００２１】
図示したように、本発明の化粧品容器は、化粧液を内部に収容するための上端開口の容器本体１００と、容器本体１００の上端側に押し込まれるプラグ型パッキング２００と、容器本体１００の上端側の外周面に内周面が螺合されるキャップ１２０と、キャップ１２０の下端から延長されたブラシ軸１２１と、ブラシ軸１２１の先端に備えられるブラシ部１２２と、キャップ１２０の底部に設けられる中空の閉塞部１２３ａとを含んでなる。
【００２２】
図４に示すように、略円筒状のパッキング体からなるプラグ型パッキング２００は、プラグ型パッキング２００の底部に設けられた多数の隔壁２１０と、隔壁２１０同士の間に設けられた通気孔２２０と、プラグ型パッキング２００の内側に設けられるもので、隔壁２１０の下端まで延長され、ブラシ軸１２１及びブラシ部１２２が容器本体１００内に対して出し入れ可能な通孔２３０とから構成される。
【００２３】
このように構成された本発明の化粧品容器は、容器本体１００の上端に押し込まれるプラグ型パッキング２００によって、化粧液の取出過程で化粧液がブラシ軸１２１などに付着することなくブラシ部１２２に均一に付着されて取り出される。
【００２４】
すなわち、使用者が睫や唇等の化粧のためにキャップ１２０を開いて容器本体１００からキャップ１２０を分離することにより、このキャップ１２０の下端から延長されたブラシ部１２２が外に取り出されるとき、容器本体１００の化粧液がこのブラシ部１２２に付着されるため、使用者がブラシ部１２２に付いた化粧液を用いて化粧するのである。容器本体１００の上端部を塞いでいるキャップ１２０が容器本体１００から分離される過程でプラグ型パッキング２００の通孔２３０を介してブラシ部１２２が出し入れされることにより、この通孔２３０の下端側によって、ブラシ部１２２に付着される化粧液が均一になり、プラグ型パッキング２００の下端側に多数設けられた隔壁２１０同士の間の通気孔２２０によって、外部の空気と容器本体１００の内部の空気とが循環することにより、化粧液をブラシ部１２２に容易に付着させることが可能である。
【００２５】
また、ブラシ部１２２に付着した化粧液を用いて睫又は唇等の化粧を行った後、キャップ１２０を再度容器本体１００の上端側に結合させると、空気の循環が可能なプラグ型パッキング２００の下端側に設けられた通気孔２２０が、キャップ１２０の底部の閉塞部１２３ａによって完全に閉塞され、外気が容器本体１００の内部と遮蔽されるため、容器本体１００内に入っている化粧液の変質と固まり現象が事前に防止される。
【００２６】
そして、キャップ１２０の底部に構成された閉塞部１２３ａが出入りするプラグ型パッキング２００の通孔２３０は長い長孔であるため、通孔２３０の内側に、キャップ１２０の底部に備えられたブラシ軸１２１及びブラシ部１２２が触れる瞬間、自然に掃除が行われて化粧液が均一に付着されて取り出される。
【００２７】
すなわち、従来のギャップ型パッキングは、その長さが短いほど圧がかかるので、パッキングが抜けるか或いはきちんと挿入されないという問題点があり、圧がかかることにより化粧液が均一に付着しないという問題点があったが、本発明の化粧品容器のプラグ型パッキング２００は長形であり、キャップ１２０を上下動させて化粧液を付着させる過程で空気の循環が円滑に行われることにより、圧がかからず化粧液が均一に付着させることが可能である。
【００２８】
図７（ａ）及び図７（ｂ）は、本発明の第１実施例に係るプラグ型パッキングの変形例を示す底面図であって、プラグ型パッキング２００の下端側に設けられる隔壁２１０の数が相異する。このように隔壁２１０の数が少なくとも２つ以上であれば、本発明の目的の達成に効果的であって、この隔壁２１０の数は限定されるものではない。
【実施例２】
【００２９】
図８は、本発明の第２実施例に係る化粧品容器の構成を示す分解斜視図、図９は、本発明の第２実施例に係る化粧品容器の構成を示す断面図である。
【００３０】
図示したように、本発明に係る化粧品容器は、化粧液を内部に収容するための上端開口の容器本体１００と、容器本体１００の上端側に押し込まれるもので、下端側には通孔３１０を有し、通孔３１０を中心として少なくとも一つ以上の通気孔３２０が穿設されたプラグ型パッキング３００と、容器本体１００の上端側の外周面に内周面が螺合されるキャップ１２０と、キャップ１２０の下端から延長されたブラシ軸１２１と、ブラシ軸１２１の先端に備えられるブラシ部１２２と、キャップ１２０の底部に設けられた半球状の曲面でなる閉塞部１２３ｂとから構成される。
【００３１】
プラグ型パッキング３００の下端側の中央に設けられた通孔３１０は、容器本体１００に入っている化粧液がブラシ部１２２に付着して容器本体１００外に出される過程で、ブラシ部１２２に付着される化粧液を均一に扱き落し、使用者が睫等を化粧することを容易にする。
【００３２】
また、図１０に示すように、通気孔３２０は、プラグ型パッキング３００の下端側の中央に設けられた通孔３１０を中心として少なくとも一つ以上穿設されるもので、その数は限定されない。
【００３３】
このように構成された本発明の第２実施例に係る化粧品容器は、使用者が睫又は唇等の化粧のためにキャップ１２０を開いて容器本体１００からキャップ１２０を分離することにより、このキャップ１２０の下端から延長されたブラシ部１２２が外に取り出されるとき、容器本体１００の化粧液がこのブラシ部１２２に付着して外に出され、使用者がブラシ部１２２に付着している化粧液を用いて化粧を行うものである。容器本体１００の上端部を塞いでいるキャップ１２０が容器本体１００から分離される過程で、プラグ型パッキング３００の下端側に穿設された多数の通気孔３２０を介して外気と容器本体１００内の空気とが循環するため、化粧液が前記ブラシ部１２２に容易に付着させることができる。
【００３４】
また、ブラシ部１２２に付着した化粧液を用いて睫又は唇等の化粧を行った後、キャップ１２０を再度容器本体１００の上端側に結合させると、空気の循環を可能にする前記プラグ型パッキング３００の通気孔３２０が、キャップ１２０の底部に構成された閉塞部１２３ｂによって閉塞され、外気と容器本体１００内の空気とが完全に遮蔽されるため、外気が前記容器本体１００に流入することはなく、容器本体１００内に入っている化粧液の変質と固まり現象を事前に防止可能である。
【実施例３】
【００３５】
図１１は、本発明の第３実施例に係る化粧品容器の構成を示す断面図、図１２は、本発明の第３実施例に係る化粧品容器のプラグ型パッキングの底面図である。
【００３６】
図示したように、プラグ型パッキング４００は、下端側には前記ブラシ軸１２１及びブラシ部１２２が容器本体１００内に出し入れできるようにする通孔４２０が穿設され、外周面には少なくとも一つ以上の通気溝４１０が設けられる。図１２に示すように、この通気溝４１０は、プラグ型パッキング４００の外周面にプラグ型パッキング４００の長手方向に沿って延長されて多数設けられたもので、プラグ型パッキング４００の上端側から容器本体１００の内側に位置する下端側にまで延長されて設けられる。
【００３７】
このプラグ型パッキング４００の外周面に沿って設けられた通気溝４１０は、前述した第２実施例のプラグ型パッキング３００の下端側に多数穿設された通気孔３２０の機能と同一のものなので、これに対する具体的な説明は省略する。
【００３８】
本発明は前記説明された実施形態や実施例に限定されるものではなく、特許請求の範囲に示される技術的思想の範囲を逸脱しない限り、様々な形態に変更することができる。
【図面の簡単な説明】
【００３９】
【図１】従来のマスカラ容器の構成を示す断面図である。
【図２】従来のマスカラ容器の要部であるプラグ型パッキングの底面図である。
【図３】本発明の第１実施例に係る化粧品容器の構成を示す分解斜視図である。
【図４】本発明に係る化粧品容器の要部であるプラグ型パッキングを一部切開して示す斜視図である。
【図５】本発明の第１実施例に係る化粧品容器のプラグ型パッキングの底面図である。
【図６】本発明の第１実施例に係る化粧品容器の構成を示す断面図である。
【図７（ａ）】本発明の第１実施例に係る化粧品容器のプラグ型パッキングの変形例を示す底面図である。
【図７（ｂ）】本発明の第１実施例に係る化粧品容器のプラグ型パッキングの変形例を示す底面図である。
【図８】本発明の第２実施例に係る化粧品容器の構成を示す分解斜視図である。
【図９】本発明の第２実施例に係る化粧品容器の構成を示す断面図である。
【図１０】本発明の第２実施例に係る化粧品容器のプラグ型パッキングを示す底面図である。
【図１１】本発明の第３実施例に係る化粧品容器の構成を示す断面図である。
【図１２】本発明の第３実施例に係る化粧品容器のプラグ型パッキングを示す底面図である。
【符号の説明】
【００４０】
１００                容器本体
１２０                キャップ
１２１                ブラシ軸
１２２                ブラシ部
１２３ａ、１２３ｂ    閉塞部
２００、３００、４００    プラグ型パッキング
２１０                隔壁
２２０、３２０        通気孔
２３０、３１０、４２０    通孔
４１０                通気溝
【図１】
2005137874.tif 000003
【図２】
2005137874.tif 000004
【図３】
2005137874.tif 000005
【図４】
2005137874.tif 000006
【図５】
2005137874.tif 000007
【図６】
2005137874.tif 000008
【図７（ａ）】
2005137874.tif 000009
【図７（ｂ）】
2005137874.tif 000010
【図８】
2005137874.tif 000011
【図９】
2005137874.tif 000012
【図１０】
2005137874.tif 000013
【図１１】
2005137874.tif 000014
【図１２】
2005137874.tif 000015